(57)【要約】【課題】一人の作業者でも組み立てることのできる灯具落下防止構造を実現する。【解決手段】先端部（１１）が開口し、且つ、当該先端部（１１）において後端側に対して内径が縮径する縮径部（１１ａ）を有する中空のポールと、先端部（１１）においてポールに取り付けられた灯具（２０）と、を備える照明ポールと、灯具（２０）に一端（３１）が連結されたワイヤー（３０）と、縮径部（１１ａ）より後端側に位置し、後端側から縮径部（１１ａ）に当接する状態でワイヤー（３０）の他端（３３）に連結された係止具（４０）と、を備える照明ポールの灯具落下防止構造において、係止具（４０）が、縮径部（１１ａ）に対して挿通可能な第一状態と、縮径部（１１ａ）に後端側から当接する第二状態と、に切り換え可能である。【選択図】図３
0003205795.tif 000002
【実用新案登録請求の範囲】
【請求項１】
先端部が開口し、且つ、当該先端部において後端側に対して内径が縮径する縮径部を有する中空のポールと、前記先端部において前記ポールに取り付けられた灯具と、を備える照明ポールと、
前記灯具に一端が連結されたワイヤーと、
前記縮径部より後端側に位置し、後端側から前記縮径部に当接する状態で前記ワイヤーの他端に連結された係止具と、を備える照明ポールの灯具落下防止構造であって、
前記係止具が、前記縮径部に対して挿通可能な第一状態と、前記縮径部に後端側から当接する第二状態と、に切り換え可能な照明ポールの灯具落下防止構造。
【請求項２】
前記係止具が、最大幅が前記縮径部の内径より小さく、長さが前記縮径部の内径より大きい棒状又は板状の部材から形成されており、前記先端部の軸方向と前記係止具の長さ方向が一致する状態を前記第一状態とし、前記先端部の軸方向に対して前記係止具の長さ方向が一致せず、少なくとも前記係止具の一端側が前記縮径部に当接する状態を前記第二状態とする請求項１に記載の照明ポールの灯具落下防止構造。
【請求項３】
前記係止具は、前記長さ方向の両端に、それぞれ前記長さ方向と直交せず、且つ、互いに平行な平坦面部を備え、
前記係止具の長さは、前記縮径部より後端側において、両平坦面部の周縁が前記ポールの内周面に当接するときに両平坦面部が前記先端部の軸方向と平行になる長さで設計されており、
両平坦面部の周縁が前記縮径部より後端側における前記ポールの内周面に当接し、且つ、前記係止具の一端側が前記縮径部に当接する状態を前記第二状態とする請求項２に記載の照明ポールの灯具落下防止構造。
【請求項４】
前記第二状態において前記縮径部に当接する前記係止具の一端には、前記縮径部に沿う形状で、且つ、前記第二状態にあるときに前記縮径部に全体が当接する当接面部が形成されている請求項２又は３に記載の照明ポールの灯具落下防止構造。
【請求項５】
前記係止具に対し前記ワイヤーの他端を連結させる連結部は、前記係止具の前記長さ方向における中央位置よりも前記係止具の他端側に設けられている請求項２〜４のいずれか一項に記載の照明ポールの灯具落下防止構造。
【請求項６】
前記縮径部は段差状に形成されている請求項１〜５のいずれか一項に記載の照明ポールの灯具落下防止構造。
【考案の詳細な説明】
【技術分野】
【０００１】
本考案は、先端部が開口し、且つ、当該先端部において後端側に対して内径が縮径する縮径部を有する中空のポールと、前記先端部において前記ポールに取り付けられた灯具と、を備える照明ポールと、前記灯具に一端が連結されたワイヤーと、前記縮径部より後端側に位置し、後端側から前記縮径部に当接する状態で前記ワイヤーの他端に連結された係止具と、を備える照明ポールの灯具落下防止構造に関する。
【背景技術】
【０００２】
実用新案登録第３１９９５００号（特許文献１）にはこの種の照明ポールの灯具落下防止構造が記載されている。そして、この構造は、ワイヤー１０２を先端部１０１ａからポール１０１に挿通し、ワイヤー他端１０２ａをポール１０１の後端側に設けられた点検口１０１ｂまで下ろし、点検口１０１ｂまで下ろしたワイヤー他端１０２ａに係止具１０３を連結して（図９）、ワイヤー他端１０２ａをポール先端部１０１ａまで引き上げて、係止具１０３を後端側から縮径部１０４に当接する状態とする（図１０）、といった手順を経て組み立てられていた。
【先行技術文献】
【特許文献】
【０００３】
【特許文献１】実用新案登録第３１９９５００号
【考案の概要】
【考案が解決しようとする課題】
【０００４】
しかし、上記特許文献１の構造では、ワイヤー１０２をポール先端から挿通する作業者と、点検口１０１ｂまで下ろしたワイヤー他端１０２ａに係止具１０３を連結する作業者との少なくとも二人の作業者を要していた。
【０００５】
そこで、一人の作業者でも組み立てることのできる照明ポールの灯具落下防止構造の実現が望まれる。
【課題を解決するための手段】
【０００６】
本考案に係る灯具落下防止構造は、
先端部が開口し、且つ、当該先端部において後端側に対して内径が縮径する縮径部を有する中空のポールと、前記先端部において前記ポールに取り付けられた灯具と、を備える照明ポールと、
前記灯具に一端が連結されたワイヤーと、
前記縮径部より後端側に位置し、後端側から前記縮径部に当接する状態で前記ワイヤーの他端に連結された係止具と、を備える照明ポールの灯具落下防止構造であって、
前記係止具が、前記縮径部に対して挿通可能な第一状態と、前記縮径部に後端側から当接する第二状態と、に切り換え可能である。
【０００７】
この構成によれば、特許文献１のように点検口までワイヤーを下ろして係止具を連結させるといったことを要さず、第一状態とした係止具を先端部から縮径部の後端側まで通し、その後係止具を第二状態とすることで、一人の作業者によって本考案に係る灯具落下防止構造を組み立てることができる。
【０００８】
一つの態様として、前記係止具が、最大幅が前記縮径部の内径より小さく、長さが前記縮径部の内径より大きい棒状又は板状の部材から形成されており、前記先端部の軸方向と前記係止具の長さ方向が一致する状態を前記第一状態とし、前記先端部の軸方向に対して前記係止具の長さ方向が一致せず、少なくとも前記係止具の一端側が前記縮径部に当接する状態を前記第二状態とすると好適である。
【０００９】
この構成によれば、係止具の向きを変化させるのみで第一状態と第二状態とに切り換えることができる。具体的には、係止具を軸方向に沿う向きにして（第一状態）係止具を先端側から通して縮径部よりも後端側に配置し、係止具の一端側を縮径部に当接させた状態でワイヤーを引っ張れば係止具を第二状態とすることができる。このようにこの構成によれば一人の作業者によって本考案に係る灯具落下防止構造を一層容易に組み立てることができる。
【００１０】
一つの態様として、前記係止具は、前記長さ方向の両端に、それぞれ前記長さ方向と直交せず、且つ、互いに平行な平坦面部を備え、前記係止具の長さは、前記縮径部より後端側において、両平坦面部の周縁が前記ポールの内周面に当接するときに両平坦面部が前記先端部の軸方向と平行になる長さで設計されており、両平坦面部の周縁が前記縮径部より後端側における前記ポールの内周面に当接し、且つ、前記係止具の一端側が前記縮径部に当接する状態を前記第二状態とすると好適である。
【００１１】
この構成によれば、第二状態において両平坦面部の周縁がポールの内周面に当接するため、ポールの内周面に当接する領域を拡げることができ、これによりポール内周面に当接する部分にかかる負荷が分散されるから、灯具落下防止構造の強度を高めることができる。
【００１２】
一つの態様として、前記第二状態において前記縮径部に当接する前記係止具の一端には、前記縮径部に沿う形状で、且つ、前記第二状態にあるときに前記縮径部に全体が当接する当接面部が形成されていると好適である。
【００１３】
この構成によれば、係止具が縮径部に当接させ易くでき、また、縮径部に当接する部分にかかる負荷が分散されるから、灯具落下防止構造の強度を高めることができる。
【００１４】
一つの態様として、前記係止具に対し前記ワイヤーの他端を連結させる連結部は、前記係止具の前記長さ方向における中央位置よりも前記係止具の他端側に設けられていると好適である。
【００１５】
この構成によれば、縮径部よりも後端側に配置させた係止具を、ワイヤーを引っ張ることで第二状態にするときに、係止具の長さ方向における中央位置よりも係止具の他端側に連結部が位置していると、係止具が立ち上がりやすくなり、係止具の当接面部を縮径部に当接させやすくなる。
【００１６】
一つの態様として、前記縮径部は段差状に形成されていると好適である。
【００１７】
この構成によれば、係止具を縮径部に当接させ易くできる。
【図面の簡単な説明】
【００１８】
【図１】照明ポールの全体図
【図２】灯具のポールへの取り付け状態を示す図
【図３】灯具落下防止構造を示す図
【図４】係止具を示す図
【図５】図４におけるＶ−Ｖ断面図
【図６】係止具を取り付ける過程を示す図
【図７】係止具を取り付ける過程を示す図
【図８】係止具を取り付ける過程を示す図
【図９】従来の灯具落下防止構造を示す図
【図１０】従来の灯具落下防止構造を示す図
【考案を実施するための形態】
【００１９】
本考案に係る照明ポールの灯具落下防止構造の実施形態について、図面を参照して説明する。図１は照明ポール１を示し、照明ポール１は、先端部が開口する中空のポール１０と、先端部１１においてポール１０に取り付けられた灯具２０とを備えて構成される。ポール１０は、地面に対して垂直に延び、ある程度の高さ位置において屈曲して水平方向に向くように形成されている。また、図２に示すように、ポール１０の先端部は、灯具２０と連結させる連結管１１から構成されており、連結管１１の後端側端部が、先端部において後端側に対して内径が縮径する縮径部１１ａとなっている。
【００２０】
灯具２０は、図２に示すように、ＬＥＤ電球や蛍光灯などの照明２１を備えている。照明２１は、ポール１０中に設けた図示しない安定器に接続され、また安定器は例えば地中を延びる電源ケーブルと接続されている。これにより、照明２１に安定して給電が行われ、照明２１を照らすことができる。また、灯具２０には、ポール１０と接続するため、２つのサドル２２が設けられており、各サドル２２はボルト２３により灯具２０に取付けられている。そして、サドル２２と灯具２０との間に連結管１１を配置した状態でボルト２３を締め付けることにより接続管１１がサドル２２と灯具２０とにより挟持されて、灯具２０が接続管１１に対して取り付けられて固定されている。なお、灯具２０とサドル２２の取付形態は特に限定されず、また、サドル２２以外のものを用いて灯具２０をポール１０に取り付けるようにしてもよい。
【００２１】
図３は、本実施形態に係る照明ポール１の灯具落下防止構造を示し、図３に示すように、灯具２０のポール１０からの落下を防止するために、照明ポール１には、ボルト３２により灯具２０に一端３１が連結されたワイヤー３０と、縮径部１１ａより後端側に位置し、後端側から縮径部１１ａに当接する状態でワイヤー３０の他端３３に連結された係止具４０と、が設けられており、ボルト２３が緩む等により灯具２０がポール１０から外れたときに係止具４０が縮径部１１ａにより係止されて灯具２０の落下が防止される。以下、本実施形態に係る灯具落下防止構造について、係止具４０を中心に説明する。
【００２２】
まず、本実施形態に係る灯具落下防止構造では、係止具４０は、縮径部１１ａに対して挿通可能な第一状態と、縮径部１１ａに対して後端側から当接する第二状態と、に切り換え可能になっている。つまり、第一状態とした係止具４０を先端部としての連結管１１から縮径部１１ａの後端側まで通し、その後係止具４０を第二状態とすることで、一人の作業者によって灯具落下防止構造を組み立てることができる。
【００２３】
具体的には、本実施形態における係止具４０は、図４，５に示すように、最大幅ｗが縮径部１１ａの内径ｒより小さく、長さｌが縮径部１１ａの内径ｒより大きい棒状の部材から形成されている。そして、本実施形態では、連結管１１の軸方向Ａと係止具４０の長さ方向Ｌが一致する状態を第一状態とし（図６に示す状態）、連結管１１の軸方向Ａに対して係止具４０の長さ方向Ｌが一致せず、係止具４０の一端側が縮径部１１ａに当接する状態を第二状態としている（図３に示す状態）。
【００２４】
さらに、係止具４０は、長さ方向Ｌの両端に、それぞれ長さ方向Ｌと直交せず、且つ、互いに平行な平坦面部４１，４１を備えている。これにより、図５に示すように、係止具４０は断面視で平行四辺形となっている。そして、係止具４０の長さは、縮径部１１ａより後端側において、両平坦面部４１，４１の周縁４１ａ，４１ａがポール１０の内周面に同時に当接するときに両平坦面部４１，４１が軸方向Ａと平行になるような長さで設計されている（図３参照）。このような長さで設計されていることにより、本実施形態では、両平坦面部４１，４１の周縁４１ａが縮径部１１ａより後端側におけるポール１０の内周面に当接し、且つ、係止具４０の一端側が縮径部１１ａに当接する状態を第二状態としており、これにより、第二状態において両平坦面部４１，４１の周縁４１ａ，４１ａがポール１０の内周面に当接するため、ポール１０の内周面に当接する領域を拡げることができ、これによりポール内周面に当接する部分にかかる負荷が分散されるから、灯具落下防止構造の強度を高めることができる。
【００２５】
そして、第二状態において縮径部１１ａに当接する係止具４０の一端には、縮径部１１ａに沿う形状で、且つ、第二状態にあるときに縮径部１１ａに全体が当接する当接面部４２が形成されている。具体的には、図５に示すような断面視において、平行四辺形の鋭角に相当する頂点部分が縮径部１１ａに沿う形状で切り欠かれた状態となっている。そして、特に、本実施形態では縮径部１１ａは段差状に形成されているため、当接面部４２は第二状態にあるときに垂直となる平面状に形成されている。これにより、係止具４０を縮径部１１ａに当接させ易くでき、また、縮径部１１ａに当接する部分にかかる負荷を分散させることができ、灯具落下防止構造の強度が高められる。なお、本実施形態では、係止具４０の他端にも当接面部４２が形成されている。
【００２６】
また、係止具４０にはワイヤー他端３３を挿通するための挿通孔４３が設けられており、ワイヤー他端３３を挿通孔４３に挿通した後、ワイヤー他端３３に圧縮スリーブ等の適当な固定具を取り付けることで係止具４０に対してワイヤー他端３３が固定される。つまり、挿通孔４３は、いわば係止具４０に対しワイヤー他端３３を連結させる連結部として機能する。そして、挿通孔４３は、係止具４０の長さ方向Ｌにおける中央位置よりも係止具４０の他端側（縮径部１１ａに当接させない方）に設けられている。係止具４０を図７に示す状態から図８に示す状態へ移行させるには、ワイヤー３０を引っ張ることになるところ、係止具４０の長さ方向Ｌにおける中央位置よりも係止具４０の一端側（縮径部１１ａに当接させる方）に挿通孔４３が位置していると、係止具４０が立ち上がらず、軸方向Ａに沿って引っ張られる状態になり易く、係止具４０の当接面部４２を縮径部１１ａに当接させにくい。これに対し、係止具４０の長さ方向Ｌにおける中央位置よりも係止具４０の他端側に挿通孔４３が位置していると、係止具４０が立ち上がりやすく、係止具４０の当接面部４２を縮径部１１ａに当接させやすくなり、図７に示す状態から図８に示す状態への移行を容易に行うことができる。
【００２７】
次に、本実施形態に係る灯具落下防止構造の組み立て手順について説明する。まず、図６に示すように、連結管１１の軸方向Ａと係止具４０の長さ方向Ｌが一致する状態として、係止具４０を連結管１１から縮径部１１ａの後端側まで通す（図７）。そして、ワイヤー３０を引っ張ることで係止具４０が起こされて、両平坦面部４１，４１の周縁４１ａ，４１ａがポール１０の内周面に当接し、その状態でさらにワイヤー３０を引っ張ることで係止具４０の当接面部４２が縮径部１１ａに当接し、係止具４０が第二状態となる（図８）。最後に、輪状に形成したワイヤー３０の一端３１をボルト３２により灯具２０に連結することで、灯具落下防止構造が組み立てられる。
【００２８】
〔その他の実施形態〕
最後に、本考案に係る照明ポールの灯具落下防止構造のその他の実施形態について説明する。なお、以下のそれぞれの実施形態で開示される構成は、矛盾が生じない限り、他の実施形態で開示される構成と組み合わせて適用することも可能である。
【００２９】
（１）上記の実施形態では、係止具４０が、最大幅ｗが縮径部１１ａの内径ｒより小さく、長さｌが１１ａ縮径部の内径ｒより大きい棒状の部材から形成されている構成を例として説明した。しかし、本考案の実施形態はこれに限定されない。例えば、最大幅ｗが縮径部１１ａの内径ｒより小さく、長さｌが縮径部１１ａの内径ｒより大きい板状の部材としてもよいし、その他にも、先端が傘状に拡がったりする等変形することにより、通常は連結管１１に挿通できるが、先端が変形することにより、先端部分が縮径部１１ａに対して後端側から当接可能とするなど、係止具４０は、縮径部１１ａに対して挿通可能な第一状態と、縮径部１１ａに後端側から当接する第二状態と、に切り換え可能であればどのような形状であってもよい。
【００３０】
（２）上記の実施形態では、係止具４０の一端側が縮径部１１ａに当接する状態を第二状態とする構成を例として説明した。しかし、本考案の実施形態はこれに限定されず、係止具４０の長さを縮径部１１ａの後端側におけるポール１０の内径よりも短く且つ縮径部１１ａの内径よりも大きくして、係止具４０の他端側も縮径部１１ａに当接するようにしてもよい。
【００３１】
（３）上記の実施形態では、係止具４０の長さ方向Ｌの両端に、それぞれ長さ方向Ｌと直交せず、且つ、互いに平行な平坦面部４１，４１を設けたり、係止具４０の一端に、縮径部１１ａに沿う形状で、且つ、第二状態にあるときに縮径部１１ａに全体が当接する当接面部４２を形成した構成を例として説明した。しかし、本考案の実施形態はこれに限定されず、このような平坦面部４１，４１や当接面部４２を設けないようにしてもよい。
【００３２】
（４）上記の実施形態では、縮径部１１ａを段差状に形成した構成を例として説明した。しかし、本考案の実施形態はこれに限定されず、縮径部１１ａは段差状でなくてもよい。
【００３３】
（５）その他の構成に関しても、本明細書において開示された実施形態は全ての点で例示であって、本考案の範囲はそれらによって限定されることはないと理解されるべきである。当業者であれば、本考案の趣旨を逸脱しない範囲で、適宜改変が可能であることを容易に理解できるであろう。従って、本考案の趣旨を逸脱しない範囲で改変された別の実施形態も、当然、本考案の範囲に含まれる。
【産業上の利用可能性】
【００３４】
本考案は、例えば照明ポールにおける灯具の落下を防止するために利用することができる。
【符号の説明】
【００３５】
１          照明ポール
１０        ポール
１１        連結管（ポールの先端部）
２０        灯具
３０        ワイヤー
３１        一端
３３        他端
４０        係止具
４１        平坦面部
４１ａ      平坦面部の周縁
４２        当接面部
４３        挿通孔（連結部）
Ａ          軸方向
Ｌ          長さ方向
【図１】
0003205795.tif 000003
【図２】
0003205795.tif 000004
【図３】
0003205795.tif 000005
【図４】
0003205795.tif 000006
【図５】
0003205795.tif 000007
【図６】
0003205795.tif 000008
【図７】
0003205795.tif 000009
【図８】
0003205795.tif 000010
【図９】
0003205795.tif 000011
【図１０】
0003205795.tif 000012